【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
基地局に応用されるランダムアクセス応答方法において、
ランダムアクセス応答メッセージを端末に送信するステップを含み、
ここで、前記ランダムアクセス応答メッセージのＭＡＣ  ＰＤＵ（Ｍｅｄｉａ  Ａｃｃｅｓｓ  Ｃｏｎｔｒｏｌ  Ｐｒｏｔｏｃｏｌ  Ｄａｔａ  Ｕｎｉｔ）は、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲ（Ｍｅｄｉａ  Ａｃｃｅｓｓ  Ｃｏｎｔｒｏｌ  Ｒａｎｄｏｍ  Ａｃｃｅｓｓ  Ｒｅｓｐｏｎｓｅ）を含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答方法。
【請求項２】
前記ＭＡＣ  ｓｕｂＰＤＵは、第１ＭＡＣサブヘッダのみを含む第１ＭＡＣ  ｓｕｂＰＤＵを含む、請求項１に記載のランダムアクセス応答方法。
【請求項３】
前記第１ＭＡＣサブヘッダは、ＢＩ（Ｂａｃｋ  ｏｆｆ  Ｉｎｄｉｃａｔｏｒ）を含むサブヘッダであり、あるいは、
前記第１ＭＡＣサブヘッダは、Ｍｓｇ１に基づくシステムインフォメーション要求に対し応答を行うＭＡＣサブヘッダである、請求項２に記載のランダムアクセス応答方法。
【請求項４】
前記第１ＭＡＣサブヘッダは、ＢＩを含むサブヘッダである場合、
前記ランダムアクセス応答メッセージには、前記第１ＭＡＣ  ｓｕｂＰＤＵがほかのＭＡＣ  ｓｕｂＰＤＵの前に排列されている、請求項３に記載のランダムアクセス応答方法。
【請求項５】
前記第１ＭＡＣサブヘッダは、Ｍｓｇ１に基づくシステムインフォメーション要求に対し応答を行うＭＡＣサブヘッダである場合、
前記第１ＭＡＣ  ｓｕｂＰＤＵは、前記ランダムアクセス応答メッセージのＭＡＣ  ＰＤＵの所定位置に位置する、請求項３に記載のランダムアクセス応答方法。
【請求項６】
端末に応用されるランダムアクセス応答方法において、
基地局から送信されるランダムアクセス応答メッセージを受信するステップを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答方法。
【請求項７】
前記ＭＡＣ  ｓｕｂＰＤＵは、第１ＭＡＣサブヘッダのみを含む第１ＭＡＣ  ｓｕｂＰＤＵを含む、請求項６に記載のランダムアクセス応答方法。
【請求項８】
前記第１ＭＡＣサブヘッダは、ＢＩを含むサブヘッダであり、あるいは、
前記第１ＭＡＣサブヘッダは、Ｍｓｇ１に基づくシステムインフォメーション要求に対し応答を行うＭＡＣサブヘッダである、請求項７に記載のランダムアクセス応答方法。
【請求項９】
前記第１ＭＡＣサブヘッダは、ＢＩを含むサブヘッダである場合、
前記ランダムアクセス応答メッセージには、前記第１ＭＡＣ  ｓｕｂＰＤＵがほかのＭＡＣ  ｓｕｂＰＤＵの前に排列されている、請求項８に記載のランダムアクセス応答方法。
【請求項１０】
前記第１ＭＡＣサブヘッダは、Ｍｓｇ１に基づくシステムインフォメーション要求に対し応答を行うＭＡＣサブヘッダである場合、
前記第１ＭＡＣ  ｓｕｂＰＤＵは、前記ランダムアクセス応答メッセージのＭＡＣ  ＰＤＵの所定位置に位置する、請求項８に記載のランダムアクセス応答方法。
【請求項１１】
基地局から送信されるランダムアクセス応答メッセージを受信するステップの後に、
前記ランダムアクセス応答メッセージを解析するステップをさらに含む、請求項７〜１０のいずれか一項に記載のランダムアクセス応答方法。
【請求項１２】
前記ランダムアクセス応答メッセージを解析するステップは、
前記ランダムアクセス応答メッセージの１つめのＭＡＣ  ｓｕｂＰＤＵを解析するステップと、
１つめのＭＡＣ  ｓｕｂＰＤＵのＭＡＣサブヘッダにＲＡＰＩＤ（Ｒａｎｄｏｍ  Ａｃｃｅｓｓ  Ｐｒｅａｍｂｌｅ  ＩＤ）が含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとを含む、請求項１１に記載のランダムアクセス応答方法。
【請求項１３】
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとをさらに含み、あるいは、
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するステップと、
Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するステップと、
３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとをさらに含み、あるいは、
前記の各々のＭＡＣ  ｓｕｂＰＤＵを並行して解析するステップの後に、
そのうちの１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するステップをさらに含み、あるいは、
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するステップをさらに含む、請求項１２に記載のランダムアクセス応答方法。
【請求項１４】
基地局に応用されるランダムアクセス応答装置において、
ランダムアクセス応答メッセージを端末に送信するための送信モジュールを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答装置。
【請求項１５】
前記ＭＡＣ  ｓｕｂＰＤＵは、第１ＭＡＣサブヘッダのみを含む第１ＭＡＣ  ｓｕｂＰＤＵを含む、請求項１４に記載のランダムアクセス応答装置。
【請求項１６】
前記第１ＭＡＣサブヘッダは、ＢＩを含むサブヘッダであり、
前記第１ＭＡＣサブヘッダは、Ｍｓｇ１に基づくシステムインフォメーション要求に対し応答を行うＭＡＣサブヘッダである、請求項１５に記載のランダムアクセス応答装置。
【請求項１７】
前記第１ＭＡＣサブヘッダは、ＢＩを含むサブヘッダである場合、
前記ランダムアクセス応答メッセージには、前記第１ＭＡＣ  ｓｕｂＰＤＵがほかのＭＡＣ  ｓｕｂＰＤＵの前に排列されている、請求項１６に記載のランダムアクセス応答装置。
【請求項１８】
前記第１ＭＡＣサブヘッダは、Ｍｓｇ１に基づくシステムインフォメーション要求に対し応答を行うＭＡＣサブヘッダである場合、
前記第１ＭＡＣ  ｓｕｂＰＤＵは、前記ランダムアクセス応答メッセージのＭＡＣ  ＰＤＵの所定位置に位置する、請求項１６に記載のランダムアクセス応答装置。
【請求項１９】
端末に応用されるランダムアクセス応答装置において、
基地局から送信されるランダムアクセス応答メッセージを受信するための受信モジュールを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答装置。
【請求項２０】
前記ＭＡＣ  ｓｕｂＰＤＵは、第１ＭＡＣサブヘッダのみを含む第１ＭＡＣ  ｓｕｂＰＤＵを含む、請求項１９に記載のランダムアクセス応答装置。
【請求項２１】
前記第１ＭＡＣサブヘッダは、ＢＩを含むサブヘッダであり、あるいは、
前記第１ＭＡＣサブヘッダは、Ｍｓｇ１に基づくシステムインフォメーション要求に対し応答を行うＭＡＣサブヘッダである、請求項２０に記載のランダムアクセス応答装置。
【請求項２２】
前記第１ＭＡＣサブヘッダは、ＢＩを含むサブヘッダである場合、
前記ランダムアクセス応答メッセージには、前記第１ＭＡＣ  ｓｕｂＰＤＵがほかのＭＡＣ  ｓｕｂＰＤＵの前に排列されている、請求項２１に記載のランダムアクセス応答装置。
【請求項２３】
前記第１ＭＡＣサブヘッダは、Ｍｓｇ１に基づくシステムインフォメーション要求に対し応答を行うＭＡＣサブヘッダである場合、
前記第１ＭＡＣ  ｓｕｂＰＤＵは、前記ランダムアクセス応答メッセージのＭＡＣ  ＰＤＵの所定位置に位置する、請求項２１に記載のランダムアクセス応答装置。
【請求項２４】
基地局から送信されるランダムアクセス応答メッセージを受信した後に、前記ランダムアクセス応答メッセージを解析するための解析モジュールをさらに含む、請求項２０〜２３のいずれか一項に記載のランダムアクセス応答装置。
【請求項２５】
前記解析モジュールは、
前記ランダムアクセス応答メッセージの１つめのＭＡＣ  ｓｕｂＰＤＵを解析するための第１解析サブモジュールと、
１つめのＭＡＣ  ｓｕｂＰＤＵのＭＡＣサブヘッダにＲＡＰＩＤが含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するための第１分割サブモジュールと、
各々のＭＡＣ  ｓｕｂＰＤＵを並行して解析するための第１並行解析サブモジュールとを含む、請求項２４に記載のランダムアクセス応答装置。
【請求項２６】
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するための第２分割サブモジュールと、
各々のＭＡＣ  ｓｕｂＰＤＵを並行して解析するための第２並行解析サブモジュールとをさらに含み、あるいは、
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するための第２解析サブモジュールと、
Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するための第３解析サブモジュールと、
３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するための第３分割サブモジュールと、
各々のＭＡＣ  ｓｕｂＰＤＵを並行して解析するための第３並行解析サブモジュールとをさらに含み、あるいは、
前記解析モジュールは、
各々のＭＡＣ  ｓｕｂＰＤＵを並行して解析した後に、そのうち１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するための第１処理サブモジュールをさらに含み、あるいは、
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するための第４分割サブモジュールをさらに含む、請求項２５に記載のランダムアクセス応答装置。